【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
モバイルデバイスが前記モバイルデバイスの位置を計算することを支援するための、測位サーバにおける方法であって、
前記測位サーバにおいて、前記モバイルデバイスから支援データの要求を受信するステップと、
前記支援データの要求に基づいて、複数の地図サーバから、地図サーバのアドレスの要求をディレクトリサーバに送信するステップと、
前記ディレクトリサーバから前記地図サーバの前記アドレスを受信するステップと、
前記地図サーバに局所的な地図データを要求するステップと、
前記地図サーバから前記局所的な地図データを受信するステップと、
前記モバイルデバイスに前記局所的な地図データを含む支援データを送信するステップと
を有する方法。
【請求項２】
位置情報の要求を送信するステップをさらに有し、
前記位置情報の要求を送信するステップは、前記支援データの要求を受信するステップより前であることを特徴とする請求項１に記載の方法。
【請求項３】
前記位置情報の要求は、屋内測位の方法を有することを特徴とする請求項２に記載の方法。
【請求項４】
前記支援データの要求は、大まかな位置を有することを特徴とする請求項１に記載の方法。
【請求項５】
前記支援データの要求は、前記ディレクトリサーバのアドレスを有することを特徴とする請求項１に記載の方法。
【請求項６】
前記モバイルデバイスから位置情報を受信するステップをさらに有し、
前記位置情報は、前記モバイルデバイスの計算された位置を含むことを特徴とする請求項１に記載の方法。
【請求項７】
前記支援データは、少なくとも１つのワイヤレス信号送信機の位置を特定することを特徴とする請求項１に記載の方法。
【請求項８】
前記少なくとも１つのワイヤレス信号送信機は、少なくとも１つのローカルエリアネットワークのアクセスポイントを有することを特徴とする請求項７に記載の方法。
【請求項９】
モバイルデバイスが前記モバイルデバイスの位置を計算することを支援するための測位サーバであって、
前記モバイルデバイスから支援データの要求を受信する手段と、
前記支援データの要求に基づいて、複数の地図サーバから、地図サーバのアドレスの要求をディレクトリサーバに送信する手段と、
前記ディレクトリサーバから前記地図サーバの前記アドレスを受信する手段と、
前記地図サーバに局所的な地図データを要求する手段と
前記地図サーバから前記局所的な地図データを受信する手段と、
前記モバイルデバイスに前記局所的な地図データを含む支援データを送信する手段と、
を具備する測位サーバ。
【請求項１０】
前記支援データの要求は、前記ディレクトリサーバのアドレスを含むことを特徴とする請求項９に記載の測位サーバ。
【請求項１１】
モバイルデバイスが前記モバイルデバイスの位置を計算することを支援するための測位サーバであって、
少なくとも１つのネットワークインターフェースと、
前記測位サーバにおいて、前記モバイルデバイスから支援データの要求を受信し、
前記支援データの要求に基づいて、複数の地図サーバから、地図サーバのアドレスの要求をディレクトリサーバに送信し、
前記ディレクトリサーバから前記地図サーバの前記アドレスを受信し、
前記地図サーバに局所的な地図データを要求し、
前記地図サーバから前記局所的な地図データを受信し、
前記モバイルデバイスに前記局所的な地図データを含む支援データを送信するための、前記少なくとも１つのネットワークインターフェースに接続された少なくとも１つの処理ユニットと
を具備する測位サーバ。
【請求項１２】
前記支援データの要求は、前記ディレクトリサーバのアドレスを含むことを特徴とする請求項１１に記載の測位サーバ。
【請求項１３】
測位サーバの１つまたは複数の処理ユニットによって実行可能なコンピュータ実施可能命令を記憶する非一時的なコンピュータ可読媒体を含む物品であって、
前記測位サーバは、モバイルデバイスが前記モバイルデバイスの位置を計算することを支援するためのものであり、前記測位サーバは、セルラーネットワーク内にあり、前記コンピュータ実施可能命令は、
前記測位サーバにおいて、前記モバイルデバイスから支援データの要求を受信し、
前記支援データの要求に基づいて、複数の地図サーバから、地図サーバのアドレスの要求をディレクトリサーバに送信し、
前記ディレクトリサーバから前記地図サーバの前記アドレスを受信し、
前記地図サーバに局所的な地図データを要求し、
前記地図サーバから前記局所的な地図データを受信し、
前記モバイルデバイスに前記局所的な地図データを含む支援データを送信する
ための実行可能な命令を有することを特徴とする物品。
【請求項１４】
前記支援データの要求は、前記ディレクトリサーバのアドレスを含むことを特徴とする請求項１３に記載の物品。
【請求項１５】
測位サーバからの支援データを用いてモバイルデバイスの位置を計算するための、モバイルデバイスにおける方法であって、
複数の地図サーバから、地図サーバのアドレスの要求をディレクトリサーバに送信するステップと、
前記ディレクトリサーバから前記地図サーバの前記アドレスを受信するステップと、
前記地図サーバの前記アドレスを前記測位サーバに送信するステップと、
支援データの要求を前記測位サーバに送信するステップと、
前記支援データを前記測位サーバから受信するステップであって、前記支援データは、前記地図サーバの前記アドレスに基づいて前記測位サーバで取得された局所的な地図データを含む、ステップと
を有する方法。
【請求項１６】
前記方法は、位置情報の要求を受信するステップをさらに有し、前記位置情報の要求を受信するステップは、前記支援データの要求を送信するステップより前であることを特徴とする請求項１５に記載の方法。
【請求項１７】
前記位置情報の要求は、屋内測位の方法を有することを特徴とする請求項１６に記載の方法。
【請求項１８】
前記地図サーバの前記アドレスの要求は、大まかな位置を有することを特徴とする請求項１５に記載の方法。
【請求項１９】
前記方法は、前記局所的な地図データに基づいて前記モバイルデバイスの位置を計算するステップをさらに有することを特徴とする請求項１５に記載の方法。
【請求項２０】
前記支援データの要求は、前記地図サーバの前記アドレスを含むことを特徴とする請求項１５に記載の方法。
【請求項２１】
前記支援データは、少なくとも１つのワイヤレス信号送信機の位置を特定することを特徴とする請求項１５に記載の方法。
【請求項２２】
前記少なくとも１つのワイヤレス信号送信機は、少なくとも１つのローカルエリアネットワークのアクセスポイントを有することを特徴とする請求項２１に記載の方法。
【請求項２３】
前記方法は、前記測位サーバに位置情報を送信するステップをさらに有し、前記位置情報は、前記モバイルデバイスの計算された位置を含むことを特徴とする請求項１５に記載の方法。
【請求項２４】
測位サーバからの支援データを用いてモバイルデバイスの位置を計算するモバイルデバイスであって、
複数の地図サーバから、地図サーバのアドレスの要求をディレクトリサーバに送信する手段と、
前記ディレクトリサーバから前記地図サーバの前記アドレスを受信する手段と、
前記地図サーバの前記アドレスを前記測位サーバに送信する手段と、
支援データの要求を前記測位サーバに送信する手段と、
前記支援データを前記測位サーバから受信する手段と
を具備し、
前記支援データは、前記地図サーバの前記アドレスに基づいて前記測位サーバで取得された局所的な地図データを含むことを特徴とするモバイルデバイス。
【請求項２５】
前記支援データの要求は、前記地図サーバのアドレスを含むことを特徴とする請求項２４に記載のモバイルデバイス。
【請求項２６】
モバイルデバイスの位置を計算するモバイルデバイスであって、
少なくとも１つのネットワークインターフェースと、
複数の地図サーバから、地図サーバのアドレスの要求をディレクトリサーバに送信し、
前記ディレクトリサーバから前記地図サーバの前記アドレスを受信し、
前記地図サーバの前記アドレスを測位サーバに送信し、
支援データの要求を前記測位サーバに送信し、
前記支援データを前記測位サーバから受信するための、前記少なくとも１つのネットワークインターフェースに接続された少なくとも１つの処理ユニットと
を具備し、
前記支援データは、前記地図サーバの前記アドレスに基づいて前記測位サーバで取得された局所的な地図データを含むことを特徴とするモバイルデバイス。
【請求項２７】
前記支援データの要求は、前記地図サーバのアドレスを含むことを特徴とする請求項２６に記載のモバイルデバイス。
【請求項２８】
測位サーバの１つまたは複数の処理ユニットによって実行可能なコンピュータ実施可能命令を記憶する非一時的なコンピュータ可読媒体を含む物品であって、
前記測位サーバは、モバイルデバイスが前記モバイルデバイスの位置を計算することを支援するためのものであり、前記測位サーバは、セルラーネットワーク内にあり、前記コンピュータ実施可能命令は、
複数の地図サーバから、地図サーバのアドレスの要求をディレクトリサーバに送信し、
前記ディレクトリサーバから前記地図サーバの前記アドレスを受信し、
前記地図サーバの前記アドレスを前記測位サーバに送信し、
支援データの要求を前記測位サーバに送信し、
前記支援データを前記測位サーバから受信する
ための実行可能な命令を有し、
前記支援データは、前記地図サーバの前記アドレスに基づいて前記測位サーバで取得された局所的な地図データを含むことを特徴とする物品。
【請求項２９】
前記支援データの要求は、前記地図サーバのアドレスを含むことを特徴とする請求項２８に記載の物品。